(57)【要約】【課題】飲料の残留を抑制できる飲料ディスペンサ用容器を提供する。【解決手段】筒状の側部（４）と、側部の一端側を閉じる底部（６）と、側部の他端側を閉じ底部と向き合う頂部（８）と、頂部に形成された口部（１０）とを備え、飲料が充填された状態で口部が下を向くように飲料ディスペンサに装着される飲料ディスペンサ用容器（２）であって、側部の底部側及び底部は、充填された飲料が口部から排出される際に、頂部に対して立ち上がった形状に折り畳まれる構成とした。【選択図】図１
2016132458.tif 000002
【特許請求の範囲】
【請求項１】
筒状の側部と、前記側部の一端側を閉じる底部と、前記側部の他端側を閉じ前記底部と向き合う頂部と、前記頂部に形成された口部とを備え、飲料が充填された状態で前記口部が下を向くように飲料ディスペンサに装着される飲料ディスペンサ用容器であって、
前記側部の前記底部側及び前記底部は、充填された飲料が前記口部から排出される際に、前記頂部に対して立ち上がった形状に折り畳まれることを特徴とする飲料ディスペンサ用容器。
【請求項２】
前記底部は、充填された飲料が前記口部から排出される際に、前記底部の周縁より前記底部の中央が前記頂部に接近する態様で折り畳まれることを特徴とする請求項１に記載の飲料ディスペンサ用容器。
【請求項３】
前記底部は、矩形状に形成されており、充填された飲料が前記口部から排出される際に、前記底部の前記周縁を構成する一組の対辺のそれぞれの中点と前記底部の前記中央の点とを結ぶ線、及び前記底部の前記周縁を構成する頂点を結ぶ対角線に沿って折り畳まれることを特徴とする請求項２に記載の飲料ディスペンサ用容器。
【請求項４】
前記側部は、前記対辺の一方と重なる辺を含むように周縁が構成された矩形状の第１側部と、前記第１側部と向き合い、前記対辺の他方と重なる辺を含むように周縁が構成された矩形状の第２側部と、を含み、
前記第１側部は、充填された飲料が前記口部から排出される際に、前記第１側部を前記底部側と前記頂部側とに区画する線、前記第１側部の前記周縁を構成する前記頂部側の２つの頂点のそれぞれと前記第１側部の中央の点とを結ぶ線、及び前記第１側部の中央の点と前記対辺の一方と重なる辺の中点とを結ぶ線に沿って折り畳まれ、
前記第２側部は、充填された飲料が前記口部から排出される際に、前記第２側部を前記底部側と前記頂部側とに区画する線、前記第２側部の前記周縁を構成する前記頂部側の２つの頂点のそれぞれと前記第２側部の中央の点とを結ぶ線、及び前記第２側部の中央の点と前記対辺の他方と重なる辺の中点とを結ぶ線に沿って折り畳まれることを特徴とする請求項３に記載の飲料ディスペンサ用容器。
【請求項５】
前記側部は、前記第１側部及び前記第２側部に隣接する矩形状の第３側部と、前記第１側部及び前記第２側部に隣接し前記第３側部と向き合う矩形状の第４側部と、を更に含み、
前記第３側部は、充填された飲料が前記口部から排出される際に、前記第３側部を前記底部側と前記頂部側とに区画する線に沿って折り畳まれ、
前記第４側部は、充填された飲料が前記口部から排出される際に、前記第４側部を前記底部側と前記頂部側とに区画する線に沿って折り畳まれることを特徴とする請求項４に記載の飲料ディスペンサ用容器。
【請求項６】
前記頂部に対して立ち上がった形状に折り畳まれた前記側部の前記底部側及び前記底部を、前記飲料ディスペンサから取り外す際の取手として機能させることを特徴とする請求項１から請求項５のいずれかに記載の飲料ディスペンサ用容器。
【請求項７】
前記頂部に対して立ち上がった形状に折り畳まれた前記側部の前記底部側及び前記底部は、前記飲料ディスペンサから取り外された後に、前記頂部に沿って寝かせた形状に更に折り畳まれることを特徴とする請求項６に記載の飲料ディスペンサ用容器。
【発明の詳細な説明】
【技術分野】
【０００１】
本発明は、ウォーターサーバー等の飲料ディスペンサで使用される飲料ディスペンサ用容器に関する。
【背景技術】
【０００２】
近年、安全かつ手軽に冷温水を飲用できるウォーターサーバーの需要が高まっている。このウォーターサーバーには、飲料水を充填したカートリッジ容器が口部を下に向けた状態でセットされており、ユーザーは、例えば、ウォーターサーバーのコックをひねるだけで所望の冷水又は温水を飲用できる。
【０００３】
従来、上述したウォーターサーバー等の飲料ディスペンサで使用される飲料ディスペンサ用のカートリッジ容器としては、使用後に洗浄して再利用されるリターナブル方式のものが主流であった。
【０００４】
しかしながら、リターナブル方式のカートリッジ容器は、使い捨てされるワンウェイ方式のカートリッジ容器と比較して回収コスト及び洗浄コストの点で劣り、衛生面の問題も少なくない。このような理由から、リターナブル方式のカートリッジ容器に代えて、ワンウェイ方式のカートリッジ容器を採用する機会が増えている。
【０００５】
ところで、飲料ディスペンサ用のカートリッジ容器は、ある程度の容量があって廃棄等の際に嵩張り易い。そこで、飲料の排出後に、筒状の側部を内向きに折り畳み、頂部と底部とを重ねることで嵩を減らせるカートリッジ容器が提案されている（例えば、特許文献１参照）。
【先行技術文献】
【特許文献】
【０００６】
【特許文献１】特開２０１０−４２８５９号公報
【発明の概要】
【発明が解決しようとする課題】
【０００７】
しかしながら、上述のようなカートリッジ容器では、折り畳んで形成された隙間に飲料が残留してしまうことがある。本発明はかかる問題点に鑑みてなされたものであり、その目的とするところは、飲料の残留を抑制できる飲料ディスペンサ用容器を提供することである。
【課題を解決するための手段】
【０００８】
本発明によれば、筒状の側部と、前記側部の一端側を閉じる底部と、前記側部の他端側を閉じ前記底部と向き合う頂部と、前記頂部に形成された口部とを備え、飲料が充填された状態で前記口部が下を向くように飲料ディスペンサに装着される飲料ディスペンサ用容器であって、前記側部の前記底部側及び前記底部は、充填された飲料が前記口部から排出される際に、前記頂部に対して立ち上がった形状に折り畳まれることを特徴とする飲料ディスペンサ用容器が提供される。
【０００９】
本発明において、前記底部は、充填された飲料が前記口部から排出される際に、前記底部の周縁より前記底部の中央が前記頂部に接近する態様で折り畳まれることが好ましい。
【００１０】
また、本発明において、前記底部は、矩形状に形成されており、充填された飲料が前記口部から排出される際に、前記底部の前記周縁を構成する一組の対辺のそれぞれの中点と前記底部の前記中央の点とを結ぶ線、及び前記底部の前記周縁の頂点を結ぶ対角線に沿って折り畳まれることが好ましい。
【００１１】
また、本発明において、前記側部は、前記対辺の一方と重なる辺を含むように周縁が構成された矩形状の第１側部と、前記第１側部と向き合い、前記対辺の他方と重なる辺を含むように周縁が構成された矩形状の第２側部と、を含み、前記第１側部は、充填された飲料が前記口部から排出される際に、前記第１側部を前記底部側と前記頂部側とに区画する線、前記第１側部の前記周縁を構成する前記頂部側の２つの頂点のそれぞれと前記第１側部の中央の点とを結ぶ線、及び前記第１側部の中央の点と前記対辺の一方と重なる辺の中点とを結ぶ線に沿って折り畳まれ、前記第２側部は、充填された飲料が前記口部から排出される際に、前記第２側部を前記底部側と前記頂部側とに区画する線、前記第２側部の前記周縁を構成する前記頂部側の２つの頂点のそれぞれと前記第２側部の中央の点とを結ぶ線、及び前記第２側部の中央の点と前記対辺の他方と重なる辺の中点とを結ぶ線に沿って折り畳まれることが好ましい。
【００１２】
また、本発明において、前記側部は、前記第１側部及び前記第２側部に隣接する矩形状の第３側部と、前記第１側部及び前記第２側部に隣接し前記第３側部と向き合う矩形状の第４側部と、を更に含み、前記第３側部は、充填された飲料が前記口部から排出される際に、前記第３側部を前記底部側と前記頂部側とに区画する線に沿って折り畳まれ、前記第４側部は、充填された飲料が前記口部から排出される際に、前記第４側部を前記底部側と前記頂部側とに区画する線に沿って折り畳まれることが好ましい。
【００１３】
また、本発明において、前記頂部に対して立ち上がった形状に折り畳まれた前記側部の前記底部側及び前記底部を、前記飲料ディスペンサから取り外す際の取手として機能させることが好ましい。
【００１４】
また、本発明において、前記頂部に対して立ち上がった形状に折り畳まれた前記側部の前記底部側及び前記底部は、前記飲料ディスペンサから取り外された後に、前記頂部に沿って寝かせた形状に更に折り畳まれることが好ましい。
【発明の効果】
【００１５】
本発明に係る飲料ディスペンサ用容器では、充填された飲料が口部から排出される際に、側部の底部側及び底部が頂部に対して立ち上がった形状に折り畳まれるので、容器内部の飲料は口部に向かって落下し易くなる。そのため、従来の飲料ディスペンサ用容器に比べて飲料の残留を抑制できる。
【図面の簡単な説明】
【００１６】
【図１】図１（Ａ）は、飲料ディスペンサ用容器を模式的に示す斜視図であり、図１（Ｂ）は、飲料ディスペンサ用容器を模式的に示す平面図である。
【図２】図２（Ａ）は、飲料ディスペンサ用容器を模式的に示す正面図であり、図２（Ｂ）は、飲料ディスペンサ用容器を模式的に示す側面図である。
【図３】図３（Ａ）は、折り畳まれた状態の飲料ディスペンサ用容器を模式的に示す斜視図であり、図３（Ｂ）は、更に折り畳まれた状態の飲料ディスペンサ用容器を模式的に示す斜視図である。
【図４】第１変形例に係る飲料ディスペンサ用容器を模式的に示す斜視図である。
【図５】第２変形例に係る飲料ディスペンサ用容器を模式的に示す斜視図である。
【発明を実施するための形態】
【００１７】
添付図面を参照して、本発明の実施形態について説明する。図１（Ａ）は、本実施形態に係る飲料ディスペンサ用容器を模式的に示す斜視図である。図１（Ａ）に示すように、本実施形態に係る飲料ディスペンサ用容器２は、略直方体状に形成されており、その内部には、飲料を充填するための空間が設けられている。例えば、１２０℃程度に加熱したＰＥＴ等の樹脂材料を圧縮空気でブローすることにより、本実施形態に係る飲料ディスペンサ用容器２を一体成型できる。
【００１８】
図１（Ｂ）は、飲料ディスペンサ用容器２を模式的に示す平面図であり、図２（Ａ）は、飲料ディスペンサ用容器２を模式的に示す正面図であり、図２（Ｂ）は、飲料ディスペンサ用容器２を模式的に示す側面図である。
【００１９】
図１（Ａ）、図１（Ｂ）、図２（Ａ）、及び図２（Ｂ）に示すように、飲料ディスペンサ用容器２は、筒状の側部４を有している。側部４の一端（上端）側には、矩形状の底部６が設けられている。一方、側部４の他端（下端）側には、底部６と向き合う頂部８が設けられている。この底部６及び頂部８によって、側部４の両端は閉じられている。
【００２０】
頂部８の中央には、飲料を充填又は排出するための円筒状の口部１０が形成されている。各図に示すように、この飲料ディスペンサ用容器２は、飲料が充填された状態で口部１０が下を向くように飲料ディスペンサに装着される。飲料ディスペンサに装着された状態で口部１０から飲料が排出されると、飲料ディスペンサ用容器２は大気圧で変形し、所定の形状に折り畳まれる。
【００２１】
側部４は、矩形状の第１側部１２と、第１側部１２と向き合う矩形状の第２側部（不図示）と、第１側部１２及び第２側部に隣接する矩形状の第３側部１４と、第１側部１２及び前記第２側部に隣接し第３側部１４と向き合う矩形状の第４側部１６（図３（Ａ）等参照）とで構成されている。なお、第２側部及び第４側部１６は、それぞれ第１側部１２及び第３側部１４と同様なので、以下では、主に、第１側部１２及び第３側部１４について説明する。
【００２２】
各図に示すように、飲料ディスペンサ用容器２には、折り目となる複数の折り線（谷折り線、又は山折り線）が配置されている。この折り線は、例えば、他の領域より薄肉化されており、飲料ディスペンサ用容器２は、折り線に沿って折り曲げられる。ただし、折り線はこれに限定されない。例えば、他の領域を補強する方法等で折り線を形成しても良い。
【００２３】
図１（Ｂ）に示すように、底部６には、矩形状の周縁Ａ１の頂点Ｂ１，Ｂ２を結ぶ対角線、及び頂点Ｂ３，Ｂ４を結ぶ対角線に沿って、それぞれ谷折り線Ｃ１，Ｃ２が配置されている。また、周縁Ａ１を構成する一組の対辺Ｄ１，Ｄ２のそれぞれの中点Ｅ１，Ｅ２と底部６の中央の点（周縁Ａ１の対角線の交点）Ｆ１とを結ぶ線に沿って、２本の山折り線Ｃ３，Ｃ４が配置されている。
【００２４】
一方、図２（Ａ）に示すように、第１側部１２（第２側部も同様）には、第１側部１２を底部６側の領域（領域１２ａ，１２ｂ）と頂部８側の領域（領域１２ｃ，１２ｄ，１２ｅ）とに区画するように、２本の山折り線Ｃ５，Ｃ６が配置されている。
【００２５】
また、第１側部１２の矩形状の周縁Ａ２の頂部８側の２つの頂点Ｂ５，Ｂ６のそれぞれと第１側部１２の中央の点Ｆ２とを結ぶように、２本の谷折り線Ｃ７，Ｃ８が配置されている。更に、第１側部１２の中央の点Ｆ２と、上述した周縁Ａ１の対辺Ｄ１（第２側部の場合は対辺Ｄ２）に重なる辺Ｄ３の中点Ｅ３とを結ぶように、谷折り線Ｃ９が配置されている。
【００２６】
そして、図２（Ｂ）に示すように、第３側部１４（第４側部１６も同様）には、第３側部１４を底部６側の領域（領域１４ａ）と頂部８側の領域（領域１４ｂ）とに区画するように、谷折り線Ｃ１０が配置されている。なお、この谷折り線Ｃ１０は、第１側部１２の２本の山折り線Ｃ５，Ｃ６（及び第２側部の対応する山折り線）と同程度の高さに配置される。
【００２７】
このように構成された飲料ディスペンサ用容器２は、飲料が排出されると、谷折り線Ｃ１，Ｃ２，Ｃ７，Ｃ８，Ｃ９，Ｃ１０に沿って内向きに、山折り線Ｃ３，Ｃ４，Ｃ５，Ｃ６に沿って外向きに折り畳まれる。図３（Ａ）は、折り畳まれた状態の飲料ディスペンサ用容器２を模式的に示す斜視図である。
【００２８】
ある程度の飲料が排出されると、底部６は、山折り線Ｃ３に沿って山折りされ（外向きに折られ）、第１側部１２は、谷折り線Ｃ９に沿って谷折りされる（内向きに折られる）。これにより、第１側部１２の領域１２ａと領域１２ｂとは、底部６の対応する領域６ａと領域６ｃとで挟み込まれる。
【００２９】
また、底部６は、山折り線Ｃ４に沿って山折りされ、第２側部は、第１側部１２の谷折り線Ｃ９に対応する谷折り線（不図示）に沿って谷折りされる。これにより、第２側部の底部６側の領域（不図示）は、底部６の対応する領域６ｂと領域６ｄとで挟み込まれる。
【００３０】
同時に、底部６は、谷折り線Ｃ１，Ｃ２に沿って谷折りされ、第３側部１４の領域１４ａが底部６の領域６ｅに対して背中合わせに重なる。また、第４側部１６の底部６側の領域１６ａ（図３（Ｂ）参照）が底部６の領域６ｆに対して背中合わせに重なる。
【００３１】
更に、第１側部１２は、山折り線Ｃ５，Ｃ６に沿って山折りされるとともに、谷折り線Ｃ７，Ｃ８に沿って谷折りされ、領域１２ｄ，１２ｅと領域１２ｃとが重なる。第２側部についても同様である。
【００３２】
以上により、底部６は、周縁Ａ１より中央の点Ｆ１が頂部８に接近する態様で折り畳まれ、図３（Ａ）に示すように、側部４の底部６側及び底部６が頂部８に対して立ち上がった形状になる。
【００３３】
このように、本実施形態に係る飲料ディスペンサ用容器２では、充填された飲料が口部１０から排出される際に、側部４の底部６側及び底部６が頂部８に対して立ち上がった形状に折り畳まれるので、容器内部の飲料は口部１０に向かって落下し易くなる。そのため、従来の飲料ディスペンサ用容器に比べて飲料の残留を抑制できる。
【００３４】
なお、立ち上がった形状に折り畳まれた側部４の底部６側及び底部６は、飲料ディスペンサ用容器２を飲料ディスペンサから取り外す際の取手として機能させることができる。この場合、図３（Ａ）に示すように、折り畳まれた側部４の底部６側及び底部６でなる折り畳み部１８を把持して、飲料ディスペンサ用容器２を上向きに引っ張る。
【００３５】
このように、折り畳み部１８を取手として用いれば、別に取手を設ける必要がないので、飲料ディスペンサ用容器２を低コストに生産できる。また、折り畳み部１８を取手として把持することで、折り畳まれた状態が適切に維持されるので、飲料ディスペンサから取り外す際に飲料ディスペンサ用容器２を広げてしまうこともない。
【００３６】
飲料ディスペンサ用容器２を飲料ディスペンサから取り外した後には、折り畳み部１８が更に折り畳まれる。図３（Ｂ）は、更に折り畳まれた状態の飲料ディスペンサ用容器２を模式的に示す斜視図である。図３（Ｂ）に示すように、折り畳み部１８を頂部８に沿って寝かせた形状に折り畳むことで、飲料ディスペンサ用容器２の嵩を減らせるので廃棄等が容易になる。
【００３７】
なお、本発明は上記実施形態の記載に限定されず、種々変更して実施可能である。図４は、第１変形例に係る飲料ディスペンサ用容器を模式的に示す斜視図であり、図５は、第２変形例に係る飲料ディスペンサ用容器を模式的に示す斜視図である。図４及び図５では、図１（Ａ）と共通する折り線等に共通の符号を付している。
【００３８】
図４に示すように、第１変形例に係る飲料ディスペンサ用容器２２では、側部４を構成する第１側部１２、第２側部、第３側部１４、及び第４側部１６、並びに、底部６が、それぞれ内向きに窪んでいる。折り線等は、飲料ディスペンサ用容器２と同じで良い。
【００３９】
このように、頂部８以外を内向きに窪ませることで、飲料ディスペンサ用容器２２は大気圧によって容易に折り畳まれるので、折り畳みの不具合が発生し難くなる。一方、図５の第２変形例に係る飲料ディスペンサ用容器３２のように、底部６を外向きに突出させても良い。
【００４０】
また、上記実施形態に係る飲料ディスペンサ用容器２の構成は、用途の異なる容器にも応用できる。例えば、醤油、ソース等の液状の調味料が充填される調味料容器を、飲料ディスペンサ用容器２と同じ態様で構成することにより、調味料の残留を抑制できる。ただし、容器の材質や大きさ等は、その用途に応じて変更できる。
【００４１】
その他、上記実施形態に係る構成、方法等は、本発明の目的の範囲を逸脱しない限りにおいて適宜変更して実施できる。
【符号の説明】
【００４２】
２，２２，３２  飲料ディスペンサ用容器
４  側部
６  底部
８  頂部
１０  口部
１２  第１側部
１４  第３側部
１６  第４側部
１８  折り畳み部
Ａ１，Ａ２  周縁
Ｂ１，Ｂ２，Ｂ３，Ｂ４，Ｂ５，Ｂ６  頂点
Ｃ１，Ｃ２，Ｃ７，Ｃ８，Ｃ９，Ｃ１０  谷折り線
Ｃ３，Ｃ４，Ｃ５，Ｃ６  山折り線
Ｄ１，Ｄ２  対辺
Ｄ３  辺
Ｅ１，Ｅ２，Ｅ３  中点
Ｆ１  中央の点（対角線の交点）
Ｆ２  中央の点
【図１】
2016132458.tif 000003
【図２】
2016132458.tif 000004
【図３】
2016132458.tif 000005
【図４】
2016132458.tif 000006
【図５】
2016132458.tif 000007